(57)【要約】      （修正有）【課題】現場施工の省力化、工期の短縮化、経済施工等を可能にした鋼コンクリート合成床版、鋼コンクリート合成床版構築用パネルおよび鋼コンクリート合成床版の構築方法を提供する。【解決手段】橋軸方向に平行に配置された複数の主桁１，１間に配置された主桁間底鋼板部と、主桁１，１の外側にそれぞれ配置された張出し部底鋼板部と、主桁間底鋼板部と両端の張出し部底鋼板部の上に主桁１を跨いで橋軸直角方向に連続して配置された複数のトラス鉄筋８と、主桁間底鋼板部と一端側の張出し部底鋼板部の上に主桁１を跨いで橋軸直角方向に配置された複数の補強トラス鉄筋５と、主桁間底鋼板部の上に形成された主桁間コンクリート床版部１０と、張出し部底鋼板部の上に形成された張出し部コンクリート床版部１１とから一体に構成する。【選択図】図１
2010281040.tif 000002
【特許請求の範囲】
【請求項１】
橋軸方向に配置された複数の主桁の上に橋軸直角方向に配置される鋼コンクリート合成床版構築用パネルにおいて、主桁間に配置された主桁間底鋼板部と、主桁の外側にそれぞれ配置された張出し部底鋼板部と、主桁間底鋼板部と張出し部底鋼板部の上に主桁を跨いで橋軸直角方向に配置された複数のトラス鉄筋と、主桁間底鋼板部の上に形成された主桁間コンクリート床版部と、張出し部底鋼板部の上に形成された張出し部コンクリート床版部とを備え、一体に構成されてなることを特徴とする鋼コンクリート合成床版構築用パネル。
【請求項２】
トラス鉄筋は、主桁間底鋼板部と両端の張出し部底鋼板部間に主桁を跨いで橋軸直角方向に連続して配置されていることを特徴とする請求項１記載の鋼コンクリート合成床版構築用パネル。
【請求項３】
主桁間底鋼板部と張出し部底鋼板部の上に主桁を跨いで橋軸直角方向に配置された複数の補強トラス鉄筋またはリブを備えていることを特徴とする請求項１または２記載の鋼コンクリート合成床版構築用パネル。
【請求項４】
主桁間底鋼板部および／または張出し部底鋼板部の上に突設された複数のずれ止めを備えていることを特徴とする請求項１〜３のいずれかひとつに記載の鋼コンクリート合成床版構築用パネル。
【請求項５】
主桁間コンクリート床版部と張出し部コンクリート床版部は、トラス鉄筋の上端部分がコンクリート床版部の上面に突出する厚さに形成されていることを特徴請求項１〜４のいずれかひとつに記載の鋼コンクリート合成床版構築用パネル。
【請求項６】
橋軸方向に配置された複数の主桁の上に構築される鋼コンクリート合成床版において、主桁の上に橋軸方向に互いに隣接して、橋軸直角方向に配置された請求項１〜５のいずれかひとつに記載された複数の鋼コンクリート合成床版構築用パネルと、主桁の上に突設された複数の連結スタッドと、橋軸方向に隣接する鋼コンクリート合成床版構築用パネル間および各鋼コンクリート合成床版構築用パネルの主桁間コンクリート床版部と張出し部コンクリート床版部との間に打設された場所打ちコンクリートとを備え、一体に構成されてなることを特徴とする鋼コンクリート合成床版。
【請求項７】
橋軸方向に互いに隣接して配置された鋼コンクリート合成床版構築用パネルの主桁間底鋼板部どうし、および張出し部底鋼板部どうしは、高力ボルト摩擦接合または高力ボルト引張り接合によってそれぞれ接合されていることを特徴とする請求項６記載の鋼コンクリート合成床版。
【請求項８】
橋軸方向に配置された複数の主桁の上に構築される鋼コンクリート合成床版の構築方法において、複数の主桁の上に請求項１〜５のいずれかひとつに記載された鋼コンクリート合成床版構築用パネルを複数、橋軸方向に互いに隣接させて、橋軸直角方向に配置する工程と、橋軸方向に隣接する鋼コンクリート合成床版構築用パネルの主桁間底鋼板部どうしおよび張出し部底鋼板部どうしをそれぞれ接合する工程と、各鋼コンクリート合成床版構築用パネルの主桁間コンクリート床版部と張出し部コンクリート床版部間の主桁の上に複数の連結スタッドを突設する工程と、橋軸方向に隣接する鋼コンクリート合成床版構築用パネル間と各鋼コンクリート合成床版構築用パネルの主桁間コンクリート床版部と張出し部コンクリート床版部との間に場所打ちコンクリートを打設する工程とからなることを特徴とする鋼コンクリート合成床版の構築方法。
【発明の詳細な説明】
【技術分野】
【０００１】
本発明は、鋼コンクリート合成床版、鋼コンクリート合成床版構築用パネルおよび鋼コンクリート合成床版の構築方法に関し、主として道路橋などの床版に適用される。
【背景技術】
【０００２】
道路橋などの床版は、主として鉄筋コンクリート床版、プレキャストコンクリート床版、鋼コンクリート合成床版によって構築される。
【０００３】
このうち、鉄筋コンクリート床版は道路橋などの床版として広く用いられ、現地で必要な型枠と支保工を組み立て、鉄筋を配置し、そしてコンクリートを打設することにより構築され、施工に際しては、鉄筋の配置やコンクリートの打設等において一定の品質を確保するよう品質管理が行なわれる。
【０００４】
一方、プレキャスト床版は、プレキャストＲＣ床版、プレキャストＰＣ床版、プレキャスト合成床版などが広く知られ、鉄筋の配置、コンクリートの打設等の製作工程の大半が工場で行なわれるため、品質管理が容易で一定の品質を容易に確保することができ、このため現場での品質管理を省力でき、また現場における施工工程を短縮できる等のメリットがある。
【０００５】
また、例えば、特許文献１には、鋼コンクリート合成床版の構造に関する技術が開示されている。鋼コンクリート合成床版は、鋼製型枠を使用することにより、重交通下における床版の破損を防止することが可能なだけでなく、型枠材の省力化、工期の短縮化、さらには施工の安全性と経済性の向上が図れる等のメリットがある。
【０００６】
また、特許文献２には、継ぎ目部鉄筋を埋め込んだプレキャスト床版を製造する際の型枠の組立て、脱型を容易にするプレキャスト床版の継ぎ手構造に関する技術が開示され、特許文献３には、プレキャスト床版間の間隔を狭めて特殊コンクリートの使用量を削減したプレキャスト床版に関す技術が開示されている。
【先行技術文献】
【特許文献】
【０００７】
【特許文献１】特開平１１−３０３０２２号公報
【特許文献２】特開２０００−３３６８２０号公報
【特許文献３】特開平６−１０８４２０号公報
【発明の概要】
【発明が解決しようとする課題】
【０００８】
しかし、特許文献１に開示された技術には、鋼コンクリート合成床版は、架設場所が山間部や河川上の場合に、その上に架設重機を載せて架設するのが合理的であるが、床版を大掛かりに補強・養生する必要がある。その上に仮設重機を載せない場合には大型クレーンを使用する必要がある。
【０００９】
また、コンクリートは、主桁の上に鋼製型枠パネルを架設した後に打設するため、打設区間毎に主桁と床版が逐次合成されることにより床版の剛性が変化することから、荷重が均等に載った場合の形状と異なった形状に仕上がるのを抑えるため、逐次合成の影響による主桁形状（キャンバー量・計画高さ）を管理しながら施工する必要があり、品質管理および施工管理が共に面倒であった。
【００１０】
一方、特許文献２および特許文献３に開示された技術は、連続合成桁に適用する場合、主桁とプレキャスト床版は主桁の上フランジに突設されたスタッドジベルによって合成されるため、プレキャスト床版の主桁との当接部分を箱抜きする必要があり、このためプレキャスト床版の形状が複雑化する等の理由によりプレキャスト床版の製造コストが嵩む等の課題があった。  
【００１１】
また、プレキャスト床版は主桁の上に架設し、スタッドジベルが突設された箱抜き部分に無収縮モルタル等を充填して主桁と合成するが、主桁の上にスタッドジベルを多く突設するケースでは、配置が困難になるケースが生じることがあった。
【００１２】
さらに、プレキャスト床版の継ぎ手部に作用する軸引張力に対しては、継ぎ手鉄筋（ループ継ぎ手鉄筋等）で抵抗させるため、継ぎ手部コンクリートの打ち継ぎ面が弱点になり、このため補強鉄筋量が多くなる等の課題があった。
【００１３】
本発明は、以上の課題を解決するためになされたもので、現場施工の省力化と工期の短縮化、さらに経済施工等を可能にした鋼コンクリート合成床版、鋼コンクリート合成床版構築用パネルおよび鋼コンクリート合成床版の構築方法を提供することを目的とする。
【課題を解決するための手段】
【００１４】
請求項１記載の鋼コンクリート合成床版構築用パネルは、橋軸方向に配置された複数の主桁の上に橋軸直角方向に配置される鋼コンクリート合成床版構築用パネルにおいて、主桁間に配置された主桁間底鋼板部と、主桁の外側にそれぞれ配置された張出し部底鋼板部と、主桁間底鋼板部と張出し部底鋼板部の上に主桁を跨いで橋軸直角方向に配置された複数のトラス鉄筋と、主桁間底鋼板部の上に形成された主桁間コンクリート床版部と、張出し部底鋼板部の上に形成された張出し部コンクリート床版部とを備え、一体に構成されてなることを特徴とするものである。
【００１５】
本発明によれば、主桁と取り合う部分を除いて鋼コンクリート合成床版構築用パネルの大部分を工場で製作できるようにしたことで、品質管理が容易で一定品質以上の鋼コンクリート合成床版構築用パネルを容易に製作することができる。
【００１６】
この場合、主桁間底鋼板部と張出し部底鋼板部を厚さ４．５ｍｍ〜９ｍｍ程度の鋼板で形成すれば、底鋼板部の鋼材量は通常配筋される下端側主・配力鉄筋の鋼材量に比べて多くなるため、下端側主・配力鉄筋とその配筋作業を省略することができる。
【００１７】
また、トラス鉄筋は、主として主桁間底鋼板部と張出し部底鋼板部、およびこれら底鋼板部とコンクリート床版部とを一体的に接合してパネル全体に所定の強度(剛性)を付与することにより、吊り上げ時などの施工時におけるパネルの形状を保持する機能を有するものであり、その形状や配置間隔等は設計条件によって適宜決定することができる。
【００１８】
また、トラス鉄筋は、主桁間底鋼板部と両端の張出し部底鋼板部間に主桁を跨いで橋軸直角方向に梁状に連続して配置されていてもよいし（図１参照）、また主桁間底鋼板部と張出し部底鋼板部の上にその間の主桁を跨いで部分的に配置されていてもよい（図１０参照）。また、各底鋼板部とトラス鉄筋は溶接によって一体的に接合することができる。
【００１９】
なお、トラス鉄筋としては、例えば、単に平行に配置された上端鉄筋および下端鉄筋とこの上端鉄筋と下端鉄筋との間に配筋された複数の斜め鉄筋あるいはラチス鉄筋などから平面トラス状に形成されたもの、あるいは平行に配置された一本の上端鉄筋および２本の下端鉄筋とこの上端鉄筋と２本の下端鉄筋との間に配筋された複数の斜め鉄筋あるいはラチス鉄筋などから立体トラス状に形成されたもの（図７参照）等が考えられる。
【００２０】
請求項２記載の鋼コンクリート合成床版構築用パネルは、請求項１記載の鋼コンクリート合成床版構築用パネルにおいて、トラス鉄筋は、主桁間底鋼板部と両端の張出し部底鋼板部間に主桁を跨いで橋軸直角方向に連続して配置されていることを特徴とするものである。
【００２１】
本発明によれば、トラス鉄筋が橋軸直角方向に梁状に連続して配置されていることで、鋼コンクリート合成床版構築用パネルの橋軸直角方向の連続的一体性を図ることができる。
【００２２】
請求項３記載の鋼コンクリート合成床版構築用パネルは、請求項１または２記載の鋼コンクリート合成床版構築用パネルにおいて、主桁間底鋼板部と張出し部底鋼板部の上に主桁を跨いで橋軸直角方向に配置された複数の補強トラス鉄筋またはリブ(図８参照)を備えていることを特徴とするものである。
【００２３】
補強トラス鉄筋とリブは、トラス鉄筋と同様に底鋼板部に必要な強度（剛性）を付与する部材であり、必要に応じて配置することができる。なお、補強トラス鉄筋およびリブの配置間隔はトラス鉄筋の配置間隔の１．０〜２．０倍程度の配置間隔が望ましい。
【００２４】
また、補強トラス鉄筋はトラス鉄筋と同じものを用いることができ、リブは鋼板プレートや孔開き鋼板プレート等から形成することができる。
【００２５】
請求項４記載の鋼コンクリート合成床版構築用パネルは、請求項１〜３のいずれかひとつに記載の鋼コンクリート合成床版構築用パネルにおいて、主桁間底鋼板部および／または張出し部底鋼板部の上に突設された複数のずれ止めを備えていることを特徴とするものである。
【００２６】
本発明は、底鋼板部と底鋼板部の上に形成されたコンクリート床版部とを底鋼板部の上に突設された複数のずれ止めを介して一体化させることで、トラス鉄筋と底鋼板部との溶接を無くすることができ、パネルの製作コストの大幅な削減を可能にしたものである。
【００２７】
ずれ止めは、主桁間底鋼板部と張出し部底鋼板部の両方に突設するのが望ましい。また、ずれ止めにはスタッドジベル等を利用することができる。
【００２８】
請求項５記載の鋼コンクリート合成床版構築用パネルは、請求項１〜４のいずれかひとつに記載の鋼コンクリート合成床版構築用パネルにおいて、主桁間コンクリート床版部と張出し部コンクリート床版部は、トラス鉄筋の上端部分がコンクリート床版部の上面に突出する厚さに形成されていることを特徴とするものである(図１２、図１３参照)。
【００２９】
本発明は、コンクリート床版部を薄く形成することで、パネル全体の軽量化を可能にしたものであり、架設条件や輸送条件に重量制限がある場合などに適している。
【００３０】
なお、トラス鉄筋の上に配筋される配力鉄筋と主鉄筋は、工場配筋と現場配筋のいずれも可能であり、現場配筋とする場合、継手鉄筋を省略することができ、また状況に応じて設計強度を現地で調整することもできる。
【００３１】
また、主桁間コンクリート床版部と張出し部コンクリート床版部の厚さは、トラス鉄筋の高さ（せい）の１／２〜１／３程度あれば、輸送や架設時の取り扱い、場所打ちコンクリートとの合成に際して特に問題になることもない。
【００３２】
請求項６記載の鋼コンクリート合成床版は、橋軸方向に配置された複数の主桁の上に構築される鋼コンクリート合成床版において、主桁の上に橋軸方向に互いに隣接し、橋軸直角方向に配置された請求項１〜５のいずれかひとつに記載された複数の鋼コンクリート合成床版構築用パネルと、主桁の上に突設された複数の連結スタッドと、橋軸方向に隣接する鋼コンクリート合成床版構築用パネル間および各鋼コンクリート合成床版構築用パネルの主桁間コンクリート床版部と張出し部コンクリート床版部との間に打設された場所打ちコンクリートとを備え、一体に構成されてなることを特徴とするものである。
【００３３】
本発明は、鋼コンクリート合成床版構築用パネルの主桁と取り合う部分を除く大部分を工場で製作したことにより、現場施工の大幅な省力化と工期の大幅な短縮化等を可能にしたものである。
【００３４】
特に、主桁と取り合う部分においては、主桁間底鋼板部と張出し部底鋼板部、および主桁間コンクリート床版部と張出し部コンクリート床版部は主桁を挟んでその両側に配置され、主桁の上側には充分な広さの空間が設けられているため(図５参照)、主桁の上に必要量の連結スタッドを突設し、かつ必要量のコンクリートを打設することで、鋼コンクリート合成床版構築用パネルと主桁とを確実に一体化させることができる。
【００３５】
請求項７記載の鋼コンクリート合成床版は、請求項６記載の鋼コンクリート合成床版において、橋軸方向に互いに隣接して配置された鋼コンクリート合成床版構築用パネルの主桁間底鋼板部どうし、および張出し部底鋼板部どうしは、高力ボルト摩擦接合または高力ボルト引張り接合によってそれぞれ接合されていることを特徴とするものである。
【００３６】
本発明によれば、隣接するパネル間の底鋼板部どうしを構造力学的に連続させることができ、これにより明快な構造設計を行うことができる。
【００３７】
底鋼板部間を高力ボルト摩擦接合するには、底鋼板部の縁端部を継手とし、この継手としての縁端部を接合プレートと高力ボルトによって締結する方法でよい(図４（ａ）参照)。
【００３８】
また、高力ボルト引っ張り接合するには、底鋼板部の縁端部にプレート等からなる継手を直角に設け、この継手どうしを高力ボルトによって締結する方法でよい(図４（ｂ）参照)。
【００３９】
なお、主桁間底鋼板部と張出し部底鋼板部を厚さ４．５ｍｍ〜９ｍｍ程度の鋼板で形成すれば、底鋼板部の鋼材量は通常配筋される下端側配力鉄筋の鋼材量に比べて多くなるため、下端側配力鉄筋とその配筋作業を省略することができ、またこれによりいわゆるひび割れ制御設計で必要とされる鉄筋比を容易に充足させることができ、パネル間継手部の構造・施工が容易になる。
【００４０】
請求項８記載の鋼コンクリート合成床版の構築方法は、橋軸方向に配置された複数の主桁の上に構築される鋼コンクリート合成床版の構築方法において、複数の主桁の上に請求項１〜５のいずれかひとつに記載された鋼コンクリート合成床版構築用パネルを複数、橋軸方向に互いに隣接させて、橋軸直角方向に配置する工程と、橋軸方向に隣接する鋼コンクリート合成床版構築用パネルの主桁間底鋼板部どうしおよび張出し部底鋼板部どうしをそれぞれ接合する工程と、各鋼コンクリート合成床版構築用パネルの主桁間コンクリート床版部と張出し部コンクリート床版部との間の主桁の上に複数の連結スタッドを突設する工程と、橋軸方向に隣接する鋼コンクリート合成床版構築用パネル間と各鋼コンクリート合成床版構築用パネルの主桁間コンクリート床版部と張出し部コンクリート床版部との間に場所打ちコンクリートを打設する工程とからなることを特徴とするものである。本発明によれば、現地における作業数が少なく、工期の大幅な短縮化等を図ることができる。
【発明の効果】
【００４１】
本発明に係る鋼コンクリート合成床版構築用パネルは、主桁間に配置された主桁間底鋼板部と、主桁の外側にそれぞれ配置された張出し部底鋼板部と、主桁間底鋼板部と張出し部底鋼板部の上に主桁を跨いで橋軸直角方向に配置された複数のトラス鉄筋と、主桁間底鋼板部の上に形成された主桁間コンクリート床版部と、張出し部底鋼板部の上に形成された張出し部コンクリート床版部とから構成されているため、品質管理のもと工場生産が可能であり、また工場生産が可能なことにより一定品質を備えた鋼コンクリート合成床版構築用パネルを容易に製作することができる等の効果がある。
【００４２】
また、底鋼板部とコンクリート床版部とを底鋼板部に突設された複数のずれ止めを介して一体化させることにより、トラス鉄筋と底鋼板部との溶接を無くして製作コストの削減を図ることができる等の効果がある。
【００４３】
本発明に係る鋼コンクリート合成床版およびその構築方法によれば、鋼コンクリート合成床版構築用パネルの主桁と取り合う部分を除く大部分が一体に構成されていることで、現場では主桁の上にパネルを配置し、主桁の上に連結スタッドを突設した後、各パネルの主桁と取り合う部分、および隣接するパネル間に場所打ちコンクリートを打設するだけで鋼コンクリート合成床版を容易に構築することができ、これにより現場施工の大幅な省力化と工期の短縮化等を図ることができる。
【００４４】
また、各パネルの主桁との取り合い部分においては、主桁間底鋼板部と張出し部底鋼板部、および主桁間コンクリート床版部と張出し部コンクリート床版部は主桁を挟んでその両側に配置され、主桁の上側には充分な空間が確保されているため、主桁の上に必要量の連結スタッドを突設し、かつ必要量のコンクリートを場所打ちによって打設することができるため、連結スタッドとの取り合いが容易で、鋼コンクリート合成床版構築用パネルと主桁とを確実にかつ容易に一体化させることができる。
【００４５】
また、主桁形状に影響を与える荷重が均等に載荷された状態で主桁とパネルとを一体化させるため、正規の形状に主桁を仕上げることができる。
【００４６】
さらに、トラス鉄筋は主桁を跨いで橋軸直角方向に配置されていることで、主桁の上に連結スタッドを突設するためにあえて箱抜き構造としなくても、主桁との取り合い部を現場施工としたことによる強度低下の心配もない。
【図面の簡単な説明】
【００４７】
【図１】橋軸方向に平行に配置された主桁間に構築された鋼コンクリート合成床版のトラス鉄筋および補強トラス鉄筋の配置状態を示す一部平面図である。
【図２】図１におけるイ−イ線断面図である。
【図３】鋼コンクリート合成床版のトラス鉄筋、補強トラス鉄筋、配力鉄筋、主鉄筋および継手鉄筋の配置状態を示す鋼コンクリート合成床版の一部平面図である。
【図４】鋼コンクリート合成床版のパネル間接合部を示し、(ａ)は主桁間および張出し部の底鋼板部どうしがそれぞれ高力ボルト摩擦接合されたパネル間接合部を示す図１におけるロ−ロ線断面図、(ｂ)は高力ボルト引っ張り接合されたパネル間の接合部を示す図１におけるロ−ロ線断面図である。
【図５】鋼コンクリート合成床版構築用パネルと主桁との取り合い部を示し、（ａ）はコンクリートを打設する前の、（ｂ）はコンクリートを打設した後のパネルと主桁との取り合い部を示す図１におけるハ−ハ線断面図である。
【図６】鋼コンクリート合成床版構築用パネルを示し、（ａ）はトラス鉄筋、補強トラス鉄筋、配力鉄筋および継手鉄筋の配置状態を示す平面図、（ｂ）は（ａ）におけるニ−ニ線断面図である。
【図７】鋼コンクリート合成床版構築用パネルの底鋼板部、トラス鉄筋、補強トラス鉄筋、配力鉄筋および主鉄筋の配置状態を示す一部斜視図である。
【図８】鋼コンクリート合成床版構築用パネルの変形例を示し、補強トラス鉄筋の代わりにリブが配置されたパネルの平面図である。
【図９】鋼コンクリート合成床版構築用パネルの変形例を示し、トラス鉄筋、補強トラス鉄筋およびずれ止めが配置された状態を示すパネルの平面図である。
【図１０】鋼コンクリート合成床版構築用パネルの変形例を示し、トラス鉄筋、補強トラス鉄筋およびずれ止めが配置された状態を示すパネルの平面図である。
【図１１】鋼コンクリート合成床版構築用パネルの変形例を示し、トラス鉄筋、補強トラス鉄筋およびずれ止めが配置された状態を示すパネルの平面図である。
【図１２】鋼コンクリート合成床版構築用パネルの変形例を示し、（ａ）はコンクリートを打設する前、（ｂ）はコンクリートを打設した後のパネル間接合部の一部断面図である。
【図１３】鋼コンクリート合成床版構築用パネルの変形例を示し、（ａ）はコンクリートを打設する前、（ｂ）はコンクリートを打設した後のパネル間接合部の一部断面図である。
【図１４】（ａ）〜（ｃ）は、鋼コンクリート合成床版のパネル間接合部の施工手順を示す断面図である。
【発明を実施するための形態】
【００４８】
図１〜図７は、本発明の一実施形態を示し、図において、橋軸方向に平行に架け渡された複数の主桁１，１の上に複数の鋼コンクリート合成床版構築用パネル２が橋軸直角方向に連続し、かつ橋軸方向に互いに隣接して架け渡されている。また、各鋼コンクリート合成床版構築用パネル２は主桁１，１の上に固定され、かつ橋軸方向に互いに接合されている。
【００４９】
鋼コンクリート合成床版構築用パネル２は、主桁１，１間に配置された主桁間底鋼板部３と、主桁１，１の外側にそれぞれ配置された張出し部底鋼板部４，４とを備え、主桁間底鋼板部３と各張出し部底鋼板部４との間には所定幅の開口部５が橋軸方向に連続して設けられ、開口部５は主桁１の上に配置されている。
【００５０】
主桁間底鋼板部３および張出し部底鋼板部４の橋軸方向の両端部には継手６，６がそれぞれ設けられている。また、主桁間底鋼板部３および張出し部底鋼板部４の主桁１と接する側の端部にハンチ７が設けられている。
【００５１】
継手６は、主桁間底鋼板部３および張出し部底鋼板部４の縁端部に複数のボルト孔を開けることにより形成され、ボルト孔は橋軸直角方向に所定間隔おきに形成されている。
【００５２】
また、鋼コンクリート合成床版構築用パネル２は、主桁間底鋼板部３とその両端の張出し部底鋼板部４，４の上に、主桁１，１を跨いで配置された複数のトラス鉄筋８および補強トラス鉄筋９と、主桁間底鋼板部３と両端の張出し部底鋼板部４，４の上にそれぞれ形成された主桁間コンクリート床版部１０と張出し部コンクリート床版部１１とを備えている。
【００５３】
トラス鉄筋８は、主桁間底鋼板部３と両端の張出し部底鋼板部４，４の上に両端の主桁１，１を跨いで橋軸直角方向に梁状に連続して配置されている。
【００５４】
この場合のトラス鉄筋８は、主に底鋼板部とコンクリート床版部とを一体化させてパネル全体に一定以上の強度（剛性）を付与することにより、パネル吊り上げ時などの施工時におけるパネルの形状を保持する機能を付与するものであり、その形状や配置間隔等は設計条件によって適宜決定されている。
【００５５】
補強トラス鉄筋９は、トラス鉄筋８と同じく鋼コンクリート合成床版構築用パネル２に一定以上の強度(剛性)を付与する部材であり、主桁間底鋼板部３と一端側の張出し部底鋼板部４の上に一端側の主桁1を跨いで橋軸直角方向に平行に連続して配置されている。
【００５６】
また、トラス鉄筋８と補強トラス鉄筋９の上に複数の配力鉄筋１４が橋軸方向に連続し、かつ橋軸直角方向に所定間隔おきに配筋され、さらに配力鉄筋１４の上に複数の主鉄筋１５が橋軸直角方向に連続し、かつ橋軸直角方向に所定間隔おきに配筋されている（図６参照）。
【００５７】
なお、トラス鉄筋８は橋軸方向に補強トラス鉄筋９の配置間隔のほぼ１〜１／２．０倍の間隔で配置され、補強トラス鉄筋９は設計条件により、必要に応じて配置されている。
【００５８】
また、トラス鉄筋８および補強トラス鉄筋９は、平行に配置された一本の上端鉄筋と二本の下端鉄筋とこの上端鉄筋と下端鉄筋との間に配筋されたラチス筋などから橋軸直角方向に連続する立体トラス梁状に形成され、いずれも主桁間底鋼板部３と張出し部底鋼板部４の上に溶接等によって一体的に固着されている。
【００５９】
主桁間コンクリート床版部１０と張出し部コンクリート床版部１１は、主桁間底鋼板部３と張出し部底鋼板部４の上に配置されたトラス鉄筋および補強トラス鉄筋のうち、橋軸方向の端部に配置された数本のトラス鉄筋８ａおよび補強トラス鉄筋９ａを除く他のトラス鉄筋８と補強トラス鉄筋９はコンクリート内に必要なコンクリートの被り厚を有して埋まり、かつトラス筋８ａと補強トラス筋９ａの上端部分は所定高さ露出する厚さに形成されている（図４（ａ），（ｂ）、図６（ｂ）参照）。
【００６０】
主桁間コンクリート床版部１０と張出し部コンクリート床版部１１がこのように形成されていることにより、鋼コンクリート合成床版構築用パネル２の主桁間コンクリート床版部１０と張出し部コンクリート床版部１１との間には、開口部５と連続する一定幅・一定深さのコンクリート充填空間部１２が橋軸方向に連続して形成されている（図１、５参照）。
【００６１】
また、橋軸方向に隣接する鋼コンクリート合成床版構築用パネル２，２間にはコンクリート充填凹部１３が橋軸直角方向に連続して形成されている（図４（ａ），（ｂ）、図６（ｂ）参照）。
【００６２】
以上の構成により、鋼コンクリート合成床版構築用パネル２は工場生産されている。また、現地に搬入された鋼コンクリート合成床版構築用パネル２は、複数の主桁１，１の上に橋軸直角方向に連続し、かつ橋軸方向に互いに隣接して配置されている。
【００６３】
そして、橋軸方向に隣接する各鋼コンクリート合成床版構築用パネル２，２の継手６どうしが接合プレート１６と複数の高力ボルト１７によって高力ボルト摩擦接合されている(図４(ａ))。
【００６４】
なお、橋軸方向に隣接する鋼コンクリート合成床版構築用パネル２，２の主桁間底鋼板部３どうし、および張出し部底鋼板部４どうしの接合は、図４(ｂ)に図示するような高力ボルト引張り張り接合とすることもできる。
【００６５】
この場合、主桁間底鋼板部３および張出し部底鋼板部４の縁端部に接合プレート１６をそれぞれ直角に取り付け、この接合プレート１６どうしを複数の高力ボルト１７によって締結することにより高力ボルト引っ張り接合とすることかできる。
【００６６】
また、コンクリート充填凹部１３内の配力鉄筋１４の上に複数の継手鉄筋１８ａと１８ｂが配筋され、その上に場所打ちコンクリート１９が打設されている。
【００６７】
この場合、継手鉄筋１８ａは、橋軸方向に各隣接するパネル２，２のトラス鉄筋８と補強トラス鉄筋９の上に橋軸方向に連続し、かつ橋軸直角方向に所定間隔おきに配置されている。また、継手鉄筋１８ｂは、継手鉄筋１８ａの上に橋軸直角方向に連続し、橋軸方向に所定間隔おきに配置されている(図３参照)。
【００６８】
場所打ちコンクリート１９は、コンクリート充填凹部１３内がコンクリートで完全に埋まり、かつ上面が主桁間コンクリート床版部１０および張出し部コンクリート床版部１１の上面と面一になるように打設されている。こうして橋軸方向に隣接する各鋼コンクリート合成床版２どうしは互いに一体的に接合されている。
【００６９】
また、主桁１，１の上に複数の連結スタッド２０が突設され、連結スタッド２０は各鋼コンクリート合成床版構築用パネル２の開口部５からコンクリート充填空間１２内に立ち上げられている(図５参照)。
【００７０】
そして、各鋼コンクリート合成床版構築用パネル２のコンクリート充填空間１２内に場所打ちコンクリート１９が打設されている。場所打ちコンクリート１９は、主桁１の上面から主桁間コンクリート床版部１０および張出し部コンクリート床版部１１の上面まで、コンクリート充填空間１２がコンクリートで完全に埋まるように打設されている。こうして、各鋼コンクリート合成床版構築用パネル２は主桁１，１の上に一体的に固定されている。
【００７１】
図８〜図１１は、鋼コンクリート合成床版構築用パネルの変形例を示し、図８に図示する鋼コンクリート合成床版構築用パネルは、図１に図示する鋼コンクリート合成床版構築用パネルにおいて、補強トラス鉄筋の代わりにリブ２１が配置されたものを示したものである。
【００７２】
リブ２１は鋼板または孔開き鋼板などから形成され、主桁間底鋼板部３と張出し部底鋼板部４の上に溶接などによって固着されている。
【００７３】
図９に図示する鋼コンクリート合成床版構築用パネルは、図１に図示する鋼コンクリート合成床版構築用パネルにおいて、主桁間底鋼板部３と張出し部底鋼板部４の上にスタッドジベル等のずれ止め２２が底鋼板の全体にわたって突設されたものを示したものであり、底鋼板部とコンクリート床版部との一体化と一体化によるパネルの剛性向上を図ることができる。
【００７４】
スタッドジベルを全面に突設することでトラス鉄筋と底鋼板部の溶接作業を全面的に削減しコスト削減を図る事ができる。
【００７５】
図１０に図示する鋼コンクリート合成床版構築用パネルは、トラス鉄筋８と補強トラス鉄筋９が主桁間底鋼板部３と一端側の張出し部底鋼板部４の上にそれぞれ主桁１を跨いで橋軸直角方向に平行に連続して配置され、主桁間底鋼板部３にはスタッドジベル等からなるずれ止め２２が突設されたものを示したものである。
【００７６】
特に、外力による大きな応力の発生する主桁との取合い部をトラス鉄筋８と補強トラス鉄筋９によって補強し、それ以外の部分はずれ止めによって底鋼板部とコンクリート床版部との一体化を図ることで、トラス鉄筋およびトラス鉄筋と底鋼板部の溶接作業を低減してコスト削減を図ることができる。
【００７７】
図１１に図示する鋼コンクリート合成床版構築用パネルは、図１０に図示する鋼コンクリート合成床版構築用パネルにおいて、主桁間底鋼板部３の中央部分に複数の補強トラス鉄筋９が配置された例を示したものである。図１０において、外力の程度により必要に応じて補強トラス鉄筋を配置する。
【００７８】
図１２と図１３は、同じく鋼コンクリート合成床版構築用パネルの変形例を示し、いずれも、主桁間底鋼板部３と張出し部底鋼板部４の上に形成された主桁間コンクリート床版部１０と張出し部コンクリート床版部１１が、主桁間底鋼板部３と張出し部底鋼板部４の上に配置されたトラス鉄筋８および補強トラス鉄筋９の上端部分がコンクリートの上に所定高さ突出する厚さに形成されている。
【００７９】
また、いずれの鋼コンクリート合成床版構築用パネルも、主桁の上に敷設され後、トラス鉄筋８と補強トラス鉄筋９の上に配力鉄筋１４と主鉄筋１５をそれぞれ配筋し、場所コンクリート１９を打設することにより鋼コンクリート床版が構築される。
【００８０】
次に、図１〜図７で説明した鋼コンクリート合成床版を構築する施工手順を簡単に説明する。
【００８１】
(1) 最初に、平行に配置された主桁１の上に複数の鋼コンクリート合成床版構築用パネル２を橋軸直角方向に連続させ、かつ橋軸方向に互いに隣接させて配置する。
【００８２】
(2) 次に、橋軸方向に隣接する鋼コンクリート合成床版構築用パネル２，２の継手６どうしを接合プレート１６と高力ボルト１７による高力ボルト摩擦接合によって接合する（図１４参照）。
【００８３】
(3) 次に、主桁１の上に連結スタッド２０を突設する（図５（ａ）参照）。なお、連結スタッド２０は、パネル２を敷設する前に突設してもよい。いずれの場合も、連結スタッド２０は主桁１の上に溶接によって取り付け、開口部５からコンクリート充填空間１２内に立ち上げる。
【００８４】
(4) また、橋軸方向に隣接する各鋼コンクリート合成床版構築用パネル２，２間に形成されたコンクリート充填凹部１３内に複数の継手鉄筋１８ａと継手鉄筋１８ｂを配筋する（図４、図１４参照）。
【００８５】
継手鉄筋１８ａはトラス鉄筋８と補強トラス鉄筋９の上に橋軸方向に配置し、継手鉄筋１８ｂは継手鉄筋１８ａの上に橋軸直角方向に配置する。
【００８６】
(5) そして、橋軸方向に隣接する鋼コンクリート合成床版構築用パネル２，２間のコンクリート充填凹部１３とコンクリート充填空間１２内に場所打ちコンクリート１９を打設する（図５（ｂ）、図１４参照）。以上の工程によって図１〜図７に図示する鋼コンクリート合成床版を構築することができる。
【産業上の利用可能性】
【００８７】
本発明は、道路橋などの床版を容易にかつ経済的に、しかも短期間で構築することができる。
【符号の説明】
【００８８】
１  主桁
２  鋼コンクリート合成床版構築用パネル
３  主桁間底鋼板部
４  張出し部底鋼板部
５  開口部
６  継手
７  ハンチ
８  トラス鉄筋
９  補強トラス鉄筋
１０  主桁間コンクリート床版部
１１  張出し部コンクリート床版部
１２  コンクリート充填空間
１３  コンクリート充填凹部
１４  配力鉄筋
１５  主鉄筋
１６  接合プレート
１７  高力ボルト
１８ａ  継手鉄筋
１８ｂ  継手鉄筋
１９  場所打ちコンクリート
２０  連結スタッド
２１  リブ材
２２  ずれ止め  
【図１】
2010281040.tif 000003
【図２】
2010281040.tif 000004
【図３】
2010281040.tif 000005
【図４】
2010281040.tif 000006
【図５】
2010281040.tif 000007
【図６】
2010281040.tif 000008
【図７】
2010281040.tif 000009
【図８】
2010281040.tif 000010
【図９】
2010281040.tif 000011
【図１０】
2010281040.tif 000012
【図１１】
2010281040.tif 000013
【図１２】
2010281040.tif 000014
【図１３】
2010281040.tif 000015
【図１４】
2010281040.tif 000016